(57)【要約】【課題】小型化した場合でも空気圧縮機から供給された空気を十分に加熱することができる温風放出装置を提供する。【解決手段】空気圧縮機３０から供給された空気を流通させるためのエア管路１１と、エア管路１１内に配置されたコードヒータ１５と、エア管路１１を収容するケース２０と、を備える。エア管路１１は、筒部２１の内側に沿って螺旋コイル状に配置された螺旋部１３と、エア管路１１の先端で放出口２１ｃに向けて開口する空気吹出口１４と、を備え、空気吹出口１４から吹き出した空気が、螺旋部１３の内部を通過して放出口２１ｃから放出されるようにした。【選択図】図１
2018066307.tif 000002
【特許請求の範囲】
【請求項１】
空気圧縮機から供給された空気を温風に変えて放出する温風放出装置であって、
空気圧縮機から供給された空気を流通させるためのエア管路と、
前記エア管路内に配置されたコードヒータと、
前記エア管路を収容するケースと、
を備え、
前記ケースは、外部と連通する放出口が設けられた筒部を備え、
前記エア管路は、前記筒部の内側に沿って螺旋コイル状に配置された螺旋部と、前記エア管路の先端で前記放出口に向けて開口する空気吹出口と、を備え、
前記空気吹出口から吹き出した空気が、前記螺旋部の内部を通過して前記放出口から放出されるようにしたことを特徴とする、温風放出装置。
【請求項２】
前記螺旋部を形成するエア管路は、隣り合うエア管路の間に間隙を保って配置されていることを特徴とする、請求項１記載の温風放出装置。
【請求項３】
前記ケースは、前記筒部から突出して設けられたグリップ部を備え、
前記グリップ部を把持して操作可能な手持ち式の装置であることを特徴とする、請求項１又は２記載の温風放出装置。
【発明の詳細な説明】
【技術分野】
【０００１】
この発明は、空気圧縮機から供給された空気を温風に変えて放出する温風放出装置に関する。
【背景技術】
【０００２】
特許文献１には、空気圧縮機によって圧縮された圧縮エアを使用し、この圧縮エアを加熱してエアブローケースに供給する構成が開示されている。このように、加熱された圧縮エアを使用することで、短時間のうちに乾燥を行うことができる。
【先行技術文献】
【特許文献】
【０００３】
【特許文献１】特開平７−２５１１００号公報
【発明の概要】
【発明が解決しようとする課題】
【０００４】
しかし、上記した特許文献１記載の装置は、据え置き型の装置であり、空気を十分に加熱するためにはエアヒータを大型化しなければならず、使用環境が制限されるという問題があった。
【０００５】
そこで、本発明は、小型化した場合でも空気圧縮機から供給された空気を十分に加熱することができる温風放出装置を提供することを課題とする。
【課題を解決するための手段】
【０００６】
本発明は、上記した課題を解決するためになされたものであり、以下を特徴とする。
【０００７】
請求項１記載の発明は、空気圧縮機から供給された空気を温風に変えて放出する温風放出装置であって、空気圧縮機から供給された空気を流通させるためのエア管路と、前記エア管路内に配置されたコードヒータと、前記エア管路を収容するケースと、を備え、前記ケースは、外部と連通する放出口が設けられた筒部を備え、前記エア管路は、前記筒部の内側に沿って螺旋コイル状に配置された螺旋部と、前記エア管路の先端で前記放出口に向けて開口する空気吹出口と、を備え、前記空気吹出口から吹き出した空気が、前記螺旋部の内部を通過して前記放出口から放出されるようにしたことを特徴とする。
【０００８】
請求項２に記載の発明は、上記した請求項１に記載の発明の特徴点に加え、前記螺旋部を形成するエア管路は、隣り合うエア管路の間に間隙を保って配置されていることを特徴とする。
【０００９】
請求項３に記載の発明は、上記した請求項１又は２に記載の発明の特徴点に加え、前記ケースは、前記筒部から突出して設けられたグリップ部を備え、前記グリップ部を把持して操作可能な手持ち式の装置であることを特徴とする。
【発明の効果】
【００１０】
請求項１に記載の発明は上記の通りであり、エア管路は、筒部の内側に沿って螺旋コイル状に配置された螺旋部と、エア管路の先端で放出口に向けて開口する空気吹出口と、を備え、空気吹出口から吹き出した空気が、螺旋部の内部を通過して放出口から放出されるようにした。このような構成によれば、エア管路を通過させるだけで空気が加熱されるので、大型のヒータ等を設ける必要がなく、装置を小型化することができる。しかも、エア管路が螺旋コイル状に配置されているので、エア管路の全長を長くすることができ、空気の加熱時間を十分に確保することができるので、空気を十分に加熱することができる。また、エア管路が螺旋コイル状に配置されることで筒部の内部温度も上昇しているので、空気吹出口から吹き出した空気が、螺旋部の内部を通過して放出口から放出されるまでの間でも更に空気が加熱される。よって、装置を小型化した場合でも空気圧縮機から供給された空気を十分に加熱することができる。
【００１１】
また、請求項２に記載の発明は上記の通りであり、螺旋部を形成するエア管路は、隣り合うエア管路の間に間隙を保って配置されている。このような構成によれば、螺旋部によって筒部の内周に螺旋状の溝が形成されるような状態となる。このため、空気が螺旋部の内部を通過するときに、螺旋状の溝によって渦を巻くような空気の流れが生じる。このように渦を巻くように流れる空気を放出口から放出することで、広い面に空気を当てることができる。例えば、乾燥面の表面で渦を巻くように空気を当てることができ、乾燥作業に必要な時間を短縮することができる。
【００１２】
また、請求項３に記載の発明は上記の通りであり、グリップ部を把持して操作可能な手持ち式の装置であるので、使用環境を選ばず、様々な状況で使用可能な温風放出装置とすることができる。また、手持ち式の装置とした場合でも、上記したような特徴点を備えることにより、空気が十分に加熱されて放出されるようにすることができる。
【図面の簡単な説明】
【００１３】
【図１】温風放出装置の概略断面図である。
【図２】エア管路の断面図である。
【発明を実施するための形態】
【００１４】
本発明の実施形態について、図を参照しながら説明する。
【００１５】
本実施形態に係る温風放出装置１０は、空気圧縮機３０から供給された空気を温風に変えて放出するものであって、例えば、塗装面を温風によって乾燥させる手持ち式の乾燥装置である。この温風放出装置１０は、図１に示すように、空気圧縮機３０から供給された空気を流通させるためのエア管路１１と、エア管路１１を収容するケース２０と、を備える。
【００１６】
ケース２０は、外部と連通する放出口２１ｃが設けられた筒部２１と、この筒部２１から突出して設けられたグリップ部２２と、を備える。グリップ部２２は、筒部２１に対して略直交するように配置されており、使用者がこのグリップ部２２を把持したときに、筒部２１の先端（放出口２１ｃ）が自然に対象物に向くようになっている。
【００１７】
筒部２１は、閉塞された円筒状の内部空間を形成しており、内部空間の周囲を覆う周壁部２１ａと、内部空間の前部を覆う前壁部２１ｂと、内部空間の後部を覆う後壁部２１ｄと、を備える。前壁部２１ｂには、筒部２１の内部空間を外部と連通させる放出口２１ｃが設けられている。一方、後壁部２１ｄは、筒部２１の内部空間が外部と連通しないように閉塞している。このため、筒部２１の内部空間は、放出口２１ｃのみを通じて外部と連通している。このように形成することで、後述するコードヒータ１５によって内部温度が上昇したときに、放出口２１ｃ以外から熱が逃げないようになっている。
【００１８】
エア管路１１は、一方の端部が空気圧縮機３０に接続され、他方の端部がケース２０内で開口している。このエア管路１１は、図２に示すように、内部に流通経路１１ａが形成されており、空気圧縮機３０から供給された空気が通過可能となっている。
【００１９】
このエア管路１１は、図１に示すように、ケース２０から露出して設けられた露出コード部１２を備え、この露出コード部１２の先端には、空気圧縮機３０の空気取り出し口に接続可能なソケット（図示せず）が設けられている。このソケットを空気圧縮機３０に接続することで、空気圧縮機３０によって生成された圧縮空気が温風放出装置１０へと供給可能となる。
【００２０】
また、露出コード部１２よりも下流側のエア管路１１は、ケース２０内に導かれて配置されている。ケース２０内のエア管路１１は、筒部２１の内側に沿って螺旋コイル状に配置された螺旋部１３と、エア管路１１の先端で放出口２１ｃに向けて開口する空気吹出口１４と、を備える。螺旋部１３は、筒部２１の周壁部２１ａの内壁面に沿って固定されており、下流側に行くに従って後壁部２１ｄに接近するように配置されている。螺旋部１３の後壁部２１ｄ側の端部は、放出口２１ｃの方向を向くように配置されており、その先端に空気吹出口１４が開口している。
【００２１】
このような構成により、空気圧縮機３０から空気が供給されると、この空気はエア管路１１を通過して、エア管路１１の先端に形成された空気吹出口１４から吹き出し、螺旋部１３の内部を通過して放出口２１ｃから放出されるようになっている。
【００２２】
このとき、螺旋部１３を形成するエア管路１１は、図１に示すように、隣り合うエア管路１１の間に間隙Ｇを保って配置されている。このため、空気吹出口１４から吹き出した空気が螺旋部１３の外側面によって渦巻くように誘導され、乱気流が発生するようになっている。そしてこの乱気流が放出口２１ｃから放出されるようになっている。
【００２３】
また、上記したエア管路１１内には、図２に示すように、コードヒータ１５が配置されている。コードヒータ１５は、可撓性を有する（フレキシブルな）コード状のヒータである。このコードヒータ１５は、図示しない電源から電気供給を受けて発熱し、エア管路１１内の空気を加熱するようになっている。例えば発熱抵抗を内蔵しており、電気が供給されることで発熱するようになっている。
【００２４】
なお、ケース２０内のエア管路１１は、熱電伝達率の高い材料で形成されているため、コードヒータ１５が発熱してエア管路１１内の温度が上昇すると、ケース２０内の温度も上昇するようになっている。
【００２５】
ところで、このコードヒータ１５は、エア管路１１の全長に渡って配置する必要はない。例えば、ケース２０内のエア管路１１にのみ（または螺旋部１３にのみ）コードヒータ１５を設け、露出コード部１２にはコードヒータ１５を設けないようにしてもよい。このようにすれば、露出コード部１２が熱くなることがないので、火傷などを防止できる。
【００２６】
または、露出コード部１２にコードヒータ１５を設け、露出コード部１２を断熱素材で覆うようにしてもよい。このようにした場合でも、露出コード部１２が熱くなり過ぎることを防止できる。この場合には、ケース２０内のエア管路１１の方がケース２０外のエア管路１１よりも熱電伝達率が高くなるように、両者で異なる形成材料を使用してエア管路１１を形成すればよい。
【００２７】
なお、本実施形態に係る温風放出装置１０は、空気圧縮機３０からの空気供給を制御するためのバルブを備えていてもよい。また、このバルブを操作するための操作手段を備えていてもよい。また、この操作手段を操作することで、コードヒータ１５への電力供給を制御できるようにしてもよい。
【００２８】
例えば、特に図示しないが、グリップ部２２を握ったときに人差し指で操作できる位置にトリガを設け、このトリガを引き操作したときに、バルブが開放されて空気圧縮機３０からエア管路１１の螺旋部１３へと空気が供給されるとともに、コードヒータ１５への給電が開始されるようにしてもよい。そして、トリガの操作を解除すると、バネなどの付勢手段によってトリガが初期位置に戻され、これによって、空気圧縮機３０からの空気供給とコードヒータ１５への給電とが停止されるようにしてもよい。
【００２９】
以上説明したように、本実施形態によれば、エア管路１１は、筒部２１の内側に沿って螺旋コイル状に配置された螺旋部１３と、エア管路１１の先端で放出口２１ｃに向けて開口する空気吹出口１４と、を備え、空気吹出口１４から吹き出した空気が、螺旋部１３の内部を通過して放出口２１ｃから放出されるようにした。このような構成によれば、エア管路１１を通過させるだけで空気が加熱されるので、大型のヒータ等を設ける必要がなく、装置を小型化することができる。しかも、エア管路１１が螺旋コイル状に配置されているので、エア管路１１の全長を長くすることができ、空気の加熱時間を十分に確保することができるので、空気を十分に加熱することができる。また、エア管路１１が螺旋コイル状に配置されることで筒部２１の内部温度も上昇しているので、空気吹出口１４から吹き出した空気が、螺旋部１３の内部を通過して放出口２１ｃから放出されるまでの間でも更に空気が加熱される。よって、装置を小型化した場合でも空気圧縮機３０から供給された空気を十分に加熱することができる。
【００３０】
また、螺旋部１３を形成するエア管路１１は、隣り合うエア管路１１の間に間隙Ｇを保って配置されている。このような構成によれば、螺旋部１３によって筒部２１の内周に螺旋状の溝が形成されるような状態となる。このため、空気が螺旋部１３の内部を通過するときに、螺旋状の溝によって渦を巻くような空気の流れが生じる。このように渦を巻くように流れる空気を放出口２１ｃから放出することで、広い面に空気を当てることができる。例えば、乾燥面の表面で渦を巻くように空気を当てることができ、乾燥作業に必要な時間を短縮することができる。
【００３１】
また、グリップ部２２を把持して操作可能な手持ち式の装置であるので、使用環境を選ばず、様々な状況で使用可能な温風放出装置１０とすることができる。また、手持ち式の装置とした場合でも、上記したような特徴点を備えることにより、空気が十分に加熱されて放出されるようにすることができる。
【００３２】
なお、上記した実施形態においては、温風放出装置１０の例として乾燥装置を挙げたが、これに限らず、本発明の温風放出装置１０を、暖かい蒸気を放出するスチーマーに適用してもよい。
【符号の説明】
【００３３】
１０  温風放出装置
１１  エア管路
１１ａ  流通経路
１２  露出コード部
１３  螺旋部
１４  空気吹出口
１５  コードヒータ
２０  ケース
２１  筒部
２１ａ  周壁部
２１ｂ  前壁部
２１ｃ  放出口
２１ｄ  後壁部
２２  グリップ部
３０  空気圧縮機
Ｇ  間隙
【図１】
2018066307.tif 000003
【図２】
2018066307.tif 000004